(57)【特許請求の範囲】
【請求項１】
点火電極が付設された少なくとも１つの上火バーナ及び点火電極が付設された少なくとも１つの下火バーナを有し、前記上火バーナを点火させた状態で、前記下火バーナを点消火させながら調理物を加熱調理するオート調理が可能なグリル部と、
点火電極が付設されたコンロバーナを複数有し、コンロバーナを点消火させながら調理物を加熱調理するオート調理が行われないコンロ部と、を備えるガスコンロであって、
電源と接続され、高電圧を発生するグリル部専用イグナイタと、
前記電源と接続され、高電圧を発生するコンロ部共用イグナイタと、
前記グリル部の１つの上火バーナ及び１つの下火バーナの点火電極が、前記グリル部専用イグナイタに直列接続された通電回路と、
前記コンロ部の複数のコンロバーナの点火電極が、前記コンロ部共用イグナイタに接続された通電回路と、を有するガスコンロ。
【請求項２】
請求項１に記載のガスコンロにおいて、
点火電極が付設され、前記グリル部の調理中に発生する油煙や臭気成分を脱煙・脱臭させる少なくとも１つのアフターバーナを備え、
前記オート調理中、前記上火バーナ及び前記アフターバーナを点火させた状態で、前記下火バーナを点消火させながら調理物が加熱調理され、
前記グリル部の１つの下火バーナ及び１つのアフターバーナの点火電極が、前記グリル部専用イグナイタに直列接続された通電回路を少なくとも有するガスコンロ。
【発明の詳細な説明】
【技術分野】
【０００１】
本発明は、ガスコンロに関する。特に、本発明は、バーナを点消火させながら調理物を加熱調理するオート調理機能を備えたガスコンロに関する。
【背景技術】
【０００２】
ガスコンロの点火装置として、電池等の電源と接続されたイグナイタと、バーナに臨む点火電極とを有し、点火操作部で点火操作が行われると、イグナイタが発生する高電圧を点火電極に印加し、点火電極から生じる火花放電によりバーナに供給されたガスを点火させるものが知られている。
【０００３】
従来、複数のバーナを有するガスコンロには、コストや回路を設けるスペースの観点から、１つのイグナイタが搭載されており、イグナイタの複数の出力端子と複数のバーナの点火電極とをそれぞれ電気的に接続して各点火電極から火花放電を生じさせている。例えば、図５に示すように、コンロバーナ８０１ａ，８０１ｂとグリルバーナ８０２とを有するガスコンロでは、イグナイタ８０３の高圧トランス８０４の一方の二次コイル８０５ａに２つのコンロバーナ８０１ａ，８０１ｂの点火電極８１０ａ，８１０ｂを直列に接続し、他方の二次コイル８０５ｂにグリルバーナ８０２の２つの点火電極８２０ａ，８２０ｂを直列に接続した点火装置が用いられている。また、通常、複数のコンロバーナは同時に点火操作されず、コンロバーナごとに点火操作が行われるため、複数の点火電極が設けられたグリルバーナを点火させるための放電開始電圧は、コンロバーナのそれよりも高くなり、放電エネルギーのロスが大きくなる。そのため、図６に示すように、イグナイタ９０３の高圧トランス９０４の一方の二次コイル９０５ａにコンロバーナ９０１ａの点火電極９１０ａ及びグリルバーナ９０２の点火電極９２０ａを直列に接続し、他方の二次コイル９０５ｂにコンロバーナ９０１ｂの点火電極９１０ｂ及びグリルバーナ９０２の点火電極９２０ｂを直列に接続した点火装置を用い、放電エネルギーの不均衡を解消することが提案されている（例えば、特許文献１）。
【先行技術文献】
【特許文献】
【０００４】
【特許文献１】特開平１１−２３０５５２号公報
【発明の概要】
【発明が解決しようとする課題】
【０００５】
ところで、近年、グリルバーナとして上火バーナ及び下火バーナを有し、これらのグリルバーナの火力を自動で調整し、種々の調理物を美味しく焼き上げることができるオート調理機能を有するガスコンロが提案されている。この種のオート調理が可能なガスコンロでは、グリル部の所定位置で検知される温度や調理時間に基づいてグリルバーナの火力が調整されるが、例えば、線材からなる焼網と異なり、熱容量の大きなプレート状の調理器具や鍋型の調理器具が用いられると、グリルバーナの火力を小火にしても、調理器具の温度が十分に低下せず、多量の油煙が発生したり、調理物の焼き過ぎが生じやすい。特に、下火バーナは調理器具を下方から加熱するため、下火バーナが点火されたままの状態で火力調整を行っても、調理器具の温度が下がり難い。そのため、このような調理器具を用いてグリル部でオート調理を行う場合、グリルバーナの火力を調整するだけでなく、グリルバーナを点消火させながら、加熱調理する必要がある。
【０００６】
しかしながら、上記従来技術のようにコンロ部及びグリル部の全てのバーナで単一のイグナイタを共用しているガスコンロでは、１つのグリルバーナを点火させると、オート調理が行われないコンロ部の全てのコンロバーナの点火電極にも火花放電が生じる。単一のイグナイタを用いたガスコンロで使用者が点火操作してグリルバーナが点火される場合、使用者の意図により全てのバーナの点火電極から火花放電が生じており、また、通常、グリルバーナとコンロバーナとを同時に点火操作することはないから、グリルバーナの点火操作時に火花放電が生じているコンロバーナ近傍に使用者が手を近づけることはない。これに対し、オート調理中、消火されていたグリルバーナが再点火される場合、使用者はグリルバーナの点火のタイミングを知らないから、コンロバーナ近傍で作業している場合がある。その結果、使用者は、使用者の予期しないコンロバーナの点火電極から生じる火花放電に驚いたり、高電圧に晒されたりする虞がある。このような問題は、オート調理が可能なコンロ部と、オート調理が行われないグリル部を設けた場合にも生じる。
【０００７】
また、単一のイグナイタを用いた場合、オート調理中、グリルバーナの点消火が繰り返されると、点火が不要なコンロバーナの点火電極にも高電圧の印加が繰り返されるから、放電エネルギーのロスが多くなり、消費電力が大きくなる。
【０００８】
本発明は上記課題を解決するものであり、本発明の目的は、オート調理が行われる調理部と、オート調理が行われない調理部とを有するガスコンロにおいて、高い安全性及び優れた着火性を確保するとともに、バーナ点火時の消費電力を抑えることにある。
【課題を解決するための手段】
【０００９】
本発明は、
点火電極が付設された少なくとも１つの上火バーナ及び点火電極が付設された少なくとも１つの下火バーナを有し、前記上火バーナを点火させた状態で、前記下火バーナを点消火させながら調理物を加熱調理するオート調理が可能なグリル部と、
点火電極が付設されたコンロバーナを複数有し、コンロバーナを点消火させながら調理物を加熱調理するオート調理が行われないコンロ部と、を備えるガスコンロであって、
電源と接続され、高電圧を発生するグリル部専用イグナイタと、
前記電源と接続され、高電圧を発生するコンロ部共用イグナイタと、
前記グリル部の１つの上火バーナ及び１つの下火バーナの点火電極が、前記グリル部専用イグナイタに直列接続された通電回路と、
前記コンロ部の複数のコンロバーナの点火電極が、前記コンロ部共用イグナイタに接続された通電回路と、を有するガスコンロである。
【００１４】
上記ガスコンロによれば、オート調理が可能なグリル部の複数のグリルバーナの点火電極に高電圧を印加するグリル部専用イグナイタと、オート調理が行われないコンロ部の複数のコンロバーナの点火電極に高電圧を印加するコンロ部共用イグナイタとを別個に設け、グリル部専用イグナイタは、複数のグリルバーナの点火電極のみとの間で通電回路を形成し、コンロ部共用イグナイタは、複数のコンロバーナの点火電極のみとの間で通電回路を形成しているため、コンロバーナとグリルバーナの点火はそれぞれ独立して行われる。そのため、グリル部でのオート調理中、消火されているグリルバーナが再点火されても、グリルバーナの点火電極のみに高電圧が印加され、いずれのコンロバーナの点火電極にも高電圧は印加されない。それゆえ、オート調理中、コンロバーナの点火電極から使用者の予期しない火花放電を防止できる。
また、上記ガスコンロによれば、グリルバーナとコンロバーナの点火を独立させているから、コンロ部またはグリル部のいずれか一方のバーナが点火される場合でも、他方のバーナの点火電極に高電圧は印加されない。そのため、点火の不要なイグナイタに電力供給されることもない。
【００１６】
また、バーナに燃焼炎が形成されると、燃焼炎の周囲に水分、水素や炎イオンなどの導電性の物質が存在し、これらが点火電極に近づくため、点火電極からの火花放電は、燃焼炎よりも離れたターゲットに向かって飛ばず、燃焼炎に沿ってバーナに向かって飛びやすくなり、放電エネルギーのロスが小さくなる。従って、１つの上火バーナ及び１つの下火バーナの点火電極がグリル部専用イグナイタに直列接続された通電回路を設けることにより、オート調理中、上火バーナに燃焼炎が形成された状態で下火バーナの点火電極から火花放電を生じさせることができるから、下火バーナ同士を直列接続した通電回路を設ける場合よりも放電エネルギーのロスを小さくできる。
【００１７】
上記上下バーナを有するガスコンロにおいて、好ましくは、
点火電極が付設され、前記グリル部の調理中に発生する油煙や臭気成分を脱煙・脱臭させる少なくとも１つのアフターバーナを備え、
前記オート調理中、前記上火バーナ及び前記アフターバーナを点火させた状態で、前記下火バーナを点消火させながら調理物が加熱調理され、
前記グリル部の１つの下火バーナ及び前記１つのアフターバーナの点火電極が、前記グリル部専用イグナイタに直列接続された通電回路が設けられる。
【００１８】
上記ガスコンロによれば、オート調理中、上火バーナ及びアフターバーナを点火させた状態で下火バーナが点消火されるが、上火バーナと同様に、１つの下火バーナ及び１つのアフターバーナの点火電極がグリル部専用イグナイタと直列接続された通電回路を設けることにより、上火バーナ及びアフターバーナに燃焼炎が形成された状態で複数の下火バーナの点火電極から火花放電を生じさせることができる。
【発明の効果】
【００２０】
本発明によれば、グリルバーナを点消火させながら調理物を加熱調理するオート調理中、グリルバーナが再点火されても、いずれのコンロバーナの点火電極にも高電圧は印加されず、コンロバーナの点火電極から火花放電は生じないから、予期しない火花放電による使用者の驚きを防止できる。また、オート調理中、使用者がコンロバーナ前で作業をしていても、使用者が高電圧に晒される虞もない。
【００２１】
また、本発明によれば、グリルバーナとコンロバーナの点火を独立させて、いずれか一方のバーナの点火時に、他方のバーナの点火が不要である場合、点火の不要な他方のバーナの点火電極には高電圧は印加されないから、単一のイグナイタにより全てのバーナの点火電極に高電圧が印加されていた従来のものに比べて、放電エネルギーのロスが少なくなり、消費電力を抑えることができる。
【００２２】
さらに、本発明によれば、グリルバーナとして上下バーナを有し、上火バーナを点火させた状態で、下火バーナを点消火させながらオート調理するガスコンロでは、オート調理中、上火バーナに燃焼炎が形成された状態で、下火バーナの点火電極から火花放電を生じさせることができるから、放電エネルギーのロスが小さくなり、円滑に下火バーナを再点火することができる。
【００２３】
そして、本発明によれば、上下バーナとアフターバーナを有し、上火バーナ及びアフターバーナを点火させた状態で、下火バーナを点消火させながらオート調理するガスコンロでは、オート調理中、上火バーナ及びアフターバーナに燃焼炎が形成された状態で、複数の下火バーナの点火電極から火花放電を生じさせることができるから、さらに放電エネルギーのロスが小さくなり、円滑に複数の下火バーナを再点火することができる。
【００２４】
従って、本発明によれば、高い安全性を有するとともに、着火性に優れ、消費電力の少ないガスコンロを提供できる。
【図面の簡単な説明】
【００２５】
【図１】図１は、本発明の実施の形態に係るガスコンロの一例を示す概略斜視図である。
【図２】図２は、本発明の実施の形態に係るガスコンロの一例を示す要部概略断面図である。
【図３】図３は、本発明の実施の形態に係るガスコンロの一例を示すガス回路図である。
【図４】図４は、本発明の実施の形態に係るガスコンロの点火装置の一例を示す電気回路図である。
【図５】図５は、従来のガスコンロの点火装置の一例を示す電気回路図である。
【図６】図６は、従来のガスコンロの点火装置の他の一例を示す電気回路図である。
【発明を実施するための形態】
【００２６】
以下、図面を参照しながら、本実施の形態に係るガスコンロについて具体的に説明する。図１は、本実施の形態のガスコンロの一例を示す概略斜視図であり、図２は、その要部概略断面図である。図１に示すように、天板１０の上面には、３つのコンロバーナ（第２バーナ）１２ａ，１２ｂ，１２ｃを有するオート調理が行われないコンロ部（第２調理部）２が設けられており、コンロ部２の下方には、矩形箱状のオート調理が可能なグリル部（第１調理部）１がコンロ本体３と一体に設けられている。
【００２７】
３つのコンロバーナ１２ａ，１２ｂ，１２ｃはそれぞれ、バーナヘッドの下面とバーナボディの上面との間に多数の炎孔１２０ａ，１２０ｂ，１２０ｃが環状に形成された外炎式のバーナである。コンロバーナ１２ａ，１２ｂ，１２ｃの炎孔１２０ａ，１２０ｂ，１２０ｃ近傍位置にはそれぞれ、後述するコンロ部共用イグナイタ（第２調理部共用イグナイタ）１５から高電圧が印加された際に、対応する炎孔１２０ａ，１２０ｂ，１２０ｃの周辺へ向けて火花放電する点火電極１６ａ，１６ｂ，１６ｃと、対応する炎孔１２０ａ，１２０ｂ，１２０ｃにおける燃焼炎の有無を検知する熱電対１７ａ，１７ｂ，１７ｃとが設けられている。熱電対１７ａ，１７ｂ，１７ｃで検知された検知信号はそれぞれ、後述するコントローラ６０に出力される。なお、コンロバーナ１２ａ，１２ｂ，１２ｃは、火力が相違する以外、点火に関しては同様の構成を有するため、特に区別の必要がない場合、以下ではこれらをまとめてコンロバーナ１２と表記し、後述する他の引用番号においても、同様の構成についてはまとめて表記する場合がある。
【００２８】
グリル部１は、調理物Ｆを収容する加熱庫２０と、加熱庫２０内で生じた油煙や臭気成分、水蒸気等を排気口１３へ導く排気筒２１とを備える。加熱庫２０内には、調理物Ｆを加熱するためのグリルバーナ２２として、上火バーナ２２ａと、２つの下火バーナ２２ｂ，２２ｃとが設けられており、排気筒２１内には、加熱庫２０から排気筒２１内に導かれた油煙や臭気成分を脱煙・脱臭させるためのアフターバーナ２４が設けられている。
【００２９】
コンロ本体３の正面部には、加熱庫２０内に調理物Ｆを出し入れするための取出口２００が設けられており、取出口２００には、前後にスライド開閉するグリル扉２５が設けられている。グリル扉２５の後面部には、トレイ受け枠２５０が連結されており、トレイ受け枠２５０の上部には、グリルトレイ２６が載置されている。また、トレイ受け枠２５０の上部で且つグリルトレイ２６の上方位置には、調理物Ｆを載置するための焼網（図示せず）やグリルプレート２７、あるいはグリルトレイ２６上に鍋型容器（図示せず）が取り付けられる。従って、グリル扉２５を開けば、グリルトレイ２６とともに焼網、グリルプレート２７や鍋型容器が取出口２００から引き出される。
【００３０】
グリルプレート２７は、金属（例えば、アルミニウム）やセラミック材料で形成された平皿状の板体であり、その上面に調理物Ｆが載置される。
【００３１】
加熱庫２０の奥部には、排気用開口２０１が開設されている。排気筒２１は、排気用開口２０１から排気口１３へ向かって斜め上方に延設されており、ガスの燃焼排気や、調理物Ｆから放出された油煙、臭気成分、水蒸気等は、排気用開口２０１から排気筒２１を通って排気口１３へ導かれ、外部へ排出される。
【００３２】
上火バーナ２２ａは、加熱庫２０の上壁２０２に沿って配設され、下面部がセラミック製の板体で構成された表面燃焼式のセラミックバーナであり、上記板体の下面部の略全域に炎孔２２０ａが開設されている。２つの下火バーナ２２ｂ，２２ｃはそれぞれ、加熱庫２０の左右の側壁２０３の下部に沿って前後方向に延設され、ステンレス等の金属板を重ね合わせて構成された板金式の棒状のバーナであり、加熱庫２０の中央部に向かって炎孔２２０ｂ，２２０ｃが開口されている。
【００３３】
アフターバーナ２４は、排気筒２１の底壁における排気用開口２０１寄りの位置に配設されており、アフターバーナ２４の炎孔２４０から排気用開口２０１の出口付近へ向けて上方に放出されるガスの燃焼排気によって、排気筒２１内へ導かれた油煙や臭気成分が脱煙・脱臭される。
【００３４】
グリルバーナ２２の炎孔２２０及びアフターバーナ２４の炎孔２４０近傍位置にはそれぞれ、後述するグリル部専用イグナイタ（第１調理部専用イグナイタ）３０から高電圧が印加された際に、対応する炎孔２２０，２４０の周辺へ向けて火花放電する点火電極３１（３１ａ，３１ｂ，３１ｃ），３２と、対応する炎孔２２０，２４０における燃焼炎の有無を検知する熱電対３３（３３ａ，３３ｂ，３３ｃ），３４とが設けられている。また、加熱庫２０内における排気用開口２０１の近傍位置には、加熱庫２０内の温度を検知する庫内温度センサ３５が設けられている。熱電対３３，３４及び庫内温度センサ３５で検知された検知信号は、後述するコントローラ６０に出力される。
【００３５】
図１に示すように、コンロ本体３の正面部には、電源からの給電をオン／オフ操作するための電源スイッチ２９と、コンロバーナ１２ａ，１２ｂ，１２ｃの点火や消火を行うためのコンロ部用点消火操作部５０（５０ａ，５０ｂ，５０ｃ）と、グリルバーナ２２及びアフターバーナ２４の点火や消火を行うためのグリル部用点消火操作部５１とが設けられている。これらの点消火操作部５０，５１は、押し込み位置と突出位置で保持自在及び進退自在に設けられ、突出位置に切り換えられると内部に備えられた後述する点消火スイッチ５０１（５０１ａ，５０１ｂ，５０１ｃ），５０２がオンして点火を指令し、押し込み位置に切り換えられると点消火スイッチ５０１，５０２がオフして消火を指令する構成となっている。また、これらの点消火操作部５０，５１はそれぞれ、コンロバーナ１２とグリルバーナ２２の火力を手動調整する機能を兼備している。グリル部用点消火操作部５１の下方には、グリル部１でオート調理を行うための操作ユニット５２が設けられている。操作ユニット５２には、グリルプレート２７を用いてオート調理するときに選択するプレート調理モード用のプレートスイッチ５２１と、焼網を用いてオート調理するときに選択する焼網調理モード用のオートスイッチ５２２と、調理物の焼き加減を選択するための焼き加減スイッチ５２３とが設けられている。また、操作ユニット５２には、これらの操作スイッチ５２１，５２２，５２３の押し操作を繰り返すことにより、調理物の種類や焼き加減などが変更されて点灯表示される表示ランプ５２４や表示器（７セグメントＬＥＤ）５２５が設けられている。操作スイッチ５２１，５２２，５２３を操作することによる操作信号は、後述するコントローラ６０に出力される。
【００３６】
図３に示すように、コンロ本体３の内部には、ガス元管から供給されるガスを各バーナ１２，２２，２４へ導くガス管路３００が配設されている。ガス管路３００には、各コンロバーナ１２ａ，１２ｂ，１２ｃへのガスの供給を遮断可能な元ガス弁４０（４０ａ，４０ｂ，４０ｃ）が介設されている。また、上火バーナ２２ａ及びアフターバーナ２４に接続されているガス管路３００には、これらの点消火が連動して行われるように、各バーナ２２ａ，２４への分岐よりも上流側に上火バーナ２２ａ及びアフターバーナ２４へのガスの供給を遮断可能な元ガス弁４１が介設されている。さらに、下火バーナ２２ｂ，２２ｃに接続されているガス管路３００には、これらの点消火が連動して行われるように、下火バーナ２２ｂ，２２ｃへのガスの供給を遮断可能な元ガス弁４３が介設されている。また、ガス管路３００には、各コンロバーナ１２ａ，１２ｂ，１２ｃへのガスの供給量を調整可能な火力調整弁４２（４２ａ，４２ｂ，４２ｃ）と、上火バーナ２２へのガスの供給量を調整可能な火力調整弁４４と、下火バーナ２２ｂ，２２ｃへのガスの供給量を調整可能な火力調整弁４５とが介設されている。
【００３７】
ガスコンロ全体の動作を制御するコントローラ６０には、熱電対１７，３３，３４、コンロ部共用及びグリル部専用イグナイタ１５，３０、庫内温度センサ３５、元ガス弁４０，４１，４３、火力調整弁４２，４４，４５、電源スイッチ２９、コンロ部用及びグリル部用点消火操作部５０，５１、各種操作スイッチ５２１，５２２，５２３、表示ランプ５２４や表示器５２５等が電気配線を通じて接続されている。
【００３８】
コントローラ６０は、マイクロコンピュータや記憶装置を備えて構成される電子ユニットであり、上記点消火操作部５０，５１や操作スイッチ５２１，５２２，５２３からの操作信号、熱電対１７，３３，３４や庫内温度センサ３５からの検知信号が入力される。記憶装置のプログラム格納部には、各種の制御用プログラムが格納されており、上記の各入力信号に基づいて、制御用プログラムが実行される。
【００３９】
また、コントローラ６０は、機能的構成手段として、コンロ部用点消火操作部５０からの入力信号に応じて電池７０からコンロ部共用イグナイタ１５に電力を供給し、コンロ部共用イグナイタ１５を駆動するコンロ部共用イグナイタ駆動回路６０１と、グリル部用点消火操作部５１からの入力信号や、オート調理中、温調制御回路６０４からの制御信号に応じて電池７０からグリル部専用イグナイタ３０に電力を供給し、グリル部専用イグナイタ３０を駆動するグリル部専用イグナイタ駆動回路６０２と、元ガス弁４０，４１，４３の開閉、及び火力調整弁４２，４４，４５の開度を調整する弁駆動回路６０３と、操作ユニット４７でプレート調理モードや焼網調理モードなどのオート調理モードが選択されると、庫内温度センサ３５からの入力信号に基づき、グリルバーナ２２及びアフターバーナ２４の点消火やグリルバーナ２２の火力を調整するために、弁駆動回路６０３やグリル部専用イグナイタ駆動回路６０２に制御信号を出力する温調制御回路６０４、表示ランプ５２４や表示器５２５での表示を制御する表示制御回路６０５等を備える。
【００４０】
図４は、本実施の形態の点火回路の回路構成図である。図４では、煩雑化を避けるため、電源である電池７０からの電力は、コンロ部共用及びグリル部専用イグナイタ駆動回路６０１，６０２と温調制御回路６０４のみに供給されるようになっているが、他の駆動回路や制御回路にも供給されるように構成されている。
【００４１】
電池７０と、コンロ部共用及びグリル部専用イグナイタ１５，３０との間には、コンロ部共用及びグリル部専用イグナイタ駆動回路６０１，６０２、並びに温調制御回路６０４を有するコントローラ６０が介挿されており、コントローラ６０には、コンロ部用及びグリル部用点消火操作部５０，５１ごとに設けられた点消火スイッチ５０１（５０１ａ，５０１ｂ，５０１ｃ），５０２が並列に接続されている。従って、例えば、グリル部用点消火操作部５１で点火操作が行われると、対応する点消火スイッチ５０２がオンされ、グリル部専用イグナイタ駆動回路６０２は、電池７０からグリル部専用イグナイタ３０への電力供給を制御する。
【００４２】
コンロ部共用及びグリル部専用イグナイタ１５，３０はそれぞれ、乾電池電圧を昇圧する昇圧回路８２，８３と、昇圧回路８２，８３に接続されて更に高電圧に昇圧する高圧トランス８４，８５とを有する。図示しないが、昇圧回路８２，８３は、従来公知の回路構成を備えており、昇圧トランス、トランジスタ、キャパシタ、サイリスタ等を有し、各イグナイタ駆動回路６０１，６０２を介して電池７０から電力供給されると、キャパシタにエネルギーが蓄積され、高圧トランス８４，８５の一次コイル８６，８７に電流が通電されて、高圧トランス８４，８５の出力側に高電圧が発生する。
【００４３】
各高圧トランス８４，８５の出力側にはそれぞれ、２つの二次コイル８８（８８ａ，８８ｂ），８９（８９ａ，８９ｂ）が設けられている。コンロ部共用イグナイタ１５の一方の二次コイル８８ａには、コンロバーナ１２ａ，１２ｂの点火電極１６ａ，１６ｂがボディアースを介して直列に接続され、他方の二次コイル８８ｂには、コンロバーナ１２ｃの点火電極１６ｃが接続される。また、グリル部専用イグナイタ３０の一方の二次コイル８９ａには、上火バーナ２２ａと下火バーナ２２ｂの点火電極３１ａ，３１ｂがボディアースを介して直列に接続され、他方の二次コイル８９ｂには、下火バーナ２２ｃとアフターバーナ２４の点火電極３１ｃ，３２がボディアースを介して直列に接続される。従って、コンロ部共用イグナイタ１５の出力側の二次コイル８８に形成される通電回路で、複数のコンロバーナ１２の点火電極１６のみに高電圧を印加し、グリル部専用イグナイタ３０の出力側の二次コイル８９に形成される通電回路で、複数のグリルバーナ２２及びアフターバーナ２４の点火電極３１，３２のみに高電圧を印加する。
【００４４】
次に、本実施の形態のガスコンロにおいて、グリルプレート２７を用いて、上火バーナ２２ａ及びアフターバーナ２４を点火させた状態で、下火バーナ２２ｂ，２２ｃを点消火させながらグリル部１で調理物Ｆを加熱調理するオート調理の制御動作について説明する。なお、本実施の形態では、下火バーナ２２ｂ，２２ｃが第１バーナとして機能するが、オート調理中、上火バーナ２２ａを点消火させてもよいし、上火バーナ２２ａと下火バーナ２２ｂ，２２ｃの両方を点消火させてもよい。
【００４５】
グリルプレート２７上に調理物Ｆを載置して、加熱庫２０に収納し、電源スイッチ２９がオンされた状態で、使用者が操作ユニット５２のプレートスイッチ５２１を選択した後、グリル部用点消火操作部５１で点火操作を行うと、元ガス弁４１，４３が開弁され、火力調整弁４４，４５が所定の点火開度に調整される。また、グリル部用点消火操作部５１の点火操作により点消火スイッチ５０２がオンされ、グリル部専用イグナイタ駆動回路６０２により電池７０からグリル部専用イグナイタ３０の昇圧回路８３へ電力が供給される。これにより、高圧トランス８５の二次コイル８９に高電圧が発生し、二次コイル８９に接続されたグリルバーナ２２及びアフターバーナ２４の点火電極３１，３２から火花放電が生じて、各バーナ２２，２４の炎孔２２０，２４０から噴出するガスが点火される。このとき、電池７０からコンロ部共用イグナイタ１５には電力が供給されないから、点火の不要ないずれのコンロバーナ１２の点火電極１６にも高電圧は印加されない。従って、従来のコンロバーナ１２とグリルバーナ２２とで単一のイグナイタを共用している場合と比べて放電エネルギーのロスが少なく、消費電力を低減できる。
【００４６】
グリルバーナ２２及びアフターバーナ２４が点火されて、各熱電対３３，３４で燃焼炎が検知されると、グリル部専用イグナイタ駆動回路６０２によりグリル部専用イグナイタ３０への電力供給が遮断され、庫内温度センサ３５で検知される検知温度に基づいて所定の温調制御が行われる。具体的には、グリル部１でのオート調理中、温調制御回路６０４で庫内温度センサ３５の検知温度が所定の消火温度まで上昇したことが判定されると、調理物Ｆの焼き過ぎを防止するために、弁駆動回路６０３により元ガス弁４３が閉弁され、下火バーナ２２ｂ，２２ｃが消火される。そして、下火バーナ２２ｂ，２２ｃの消火後、温調制御回路６０４で庫内温度センサ３５の検知温度が所定の再点火温度まで低下したことが判定されると、弁駆動回路６０３により元ガス弁４３が開弁されるとともに、グリル部専用イグナイタ駆動回路６０２によるグリル部専用イグナイタ３０への電力供給が再開される。これにより、初期の点火時と同様に、下火バーナ２２ｂ，２２ｃの点火電極３１ｂ，３１ｃから火花放電が生じて、下火バーナ２２ｂ，２２ｃが再点火される。
【００４７】
上記オート調理中の下火バーナ２２ｂ，２２ｃの再点火は、庫内温度センサ３５で検知される検知温度に基づくものであり、使用者の意図に関わらず点火動作が行われる。そのため、従来のようにコンロバーナ１２とグリルバーナ２２とで単一のイグナイタを共用していると、使用者の予期しないタイミングでコンロバーナ１２の点火電極１６からも火花放電が生じる。しかしながら、本実施の形態では、コンロ部共用イグナイタ１５とグリル部専用イグナイタ３０とを別個に設け、コンロ部共用イグナイタ１５は、複数のコンロバーナ１２の点火電極１６のみとの間で通電回路を形成し、グリル部専用イグナイタ３０は、複数のグリルバーナ２２及びアフターバーナ２４の点火電極３１，３２のみとの間で通電回路を形成しているため、下火バーナ２２ｂ，２２ｃを再点火させるために、グリルバーナ２２及びアフターバーナ２４の点火電極３１，３２に高電圧が印加されても、いずれのコンロバーナ１２の点火電極１６にも高電圧は印加されない。従って、オート調理中、コンロバーナ１２の点火電極１６から火花放電は生じないから、予期しない火花放電による使用者の驚きを防止できる。また、オート調理中、使用者がコンロバーナ１２前で作業をしていても、使用者が高電圧に晒される虞もない。
【００４８】
また、グリル部専用イグナイタ３０の高圧トランス８５の一方の二次コイル８９ａには、上火バーナ２２ａの点火電極３１ａ及び下火バーナ２２ｂの点火電極３１ｂが直列接続され、他方の二次コイル８９ｂには、下火バーナ２２ｃの点火電極３１ｃ及びアフターバーナ２４の点火電極３２が直列接続されているから、オート調理中、下火バーナ２２ｂ，２２ｃを再点火させる場合、各二次コイル８９ａ，８９ｂに接続された上火バーナ２２ａ及びアフターバーナ２４はいずれも点火されて、燃焼炎が形成されている。それゆえ、下火バーナ２２ｂ，２２ｃが直列接続された通電回路を設ける場合よりも、放電エネルギーのロスが小さくなる。その結果、オート調理中に、下火バーナ２２ｂ，２２ｃを円滑に再点火でき、着火性を向上できる。
【００４９】
さらに、本実施の形態では、複数のコンロバーナ１２の点火電極１６に１つのコンロ部共用イグナイタ１５から高電圧を印加させ、複数のグリルバーナ２２及びアフターバーナ２４の点火電極３１，３２に１つのグリル部専用イグナイタ３０から高電圧を印加させているから、バーナ１２，２２，２４に個別にイグナイタを設ける場合よりも、コストや配設スペースの増加を抑えることができる。また、コンロ部２のコンロバーナ１２にはコンロ部共用イグナイタ１５が設けられ、グリル部１のグリルバーナ２２及びアフターバーナ２４にはグリル部専用イグナイタ３０が設けられているから、配線も簡易で、取り付け作業やメンテナンス作業も容易に行うことができる。そして、バーナ１２，２２，２４に個別にイグナイタを設ける場合、配線を容易にするために各バーナ１２，２２，２４の近傍にイグナイタを配設すると、イグナイタが調理時の煮こぼれなどによって汚損したり、熱的影響を受けたりしやすい。これに対し、本実施の形態によれば、各バーナ１２，２２，２４近傍にイグナイタ１５，３０を配設する必要がないから、長期に渡って、安定に各バーナ１２，２２，２４を点火させることができる。しかも、イグナイタ１５，３０と各バーナ１２，２２，２４の点火電極１６，３１，３２との配線が誤っていても、いずれか１つのコンロバーナ１２の点火時にはコンロバーナ１２の全ての点火電極１６から火花放電が生じ、グリルバーナ２２の点火時にはグリルバーナ２２及びアフターバーナ２４の全ての点火電極３１，３２から火花放電が生じる。それゆえ、配線に高い精度を必要とせず、作業性を向上できる。
【００５０】
（その他の実施の形態）
（１）上記実施の形態では、１つのコンロ部共用イグナイタと、１つのグリル部専用イグナイタが設けられているが、コンロ部のコンロバーナやグリル部のグリルバーナの数に応じて、それぞれ複数のイグナイタが設けられてもよい。また、上記実施の形態では、各バーナに１つずつ点火電極が設けられているが、着火性を向上するために、１つのバーナに２以上の点火電極が設けられてもよい。
（２）上記実施の形態では、オート調理中、庫内温度センサで検知される検知温度に基づいてグリルバーナの点消火が行われているが、調理時間に基づいてグリルバーナの点消火が行われてもよいし、検知温度及び調理時間の両方に基づいてグリルバーナの点消火が行われてもよい。また、上記実施の形態では、オート調理中、元ガス弁を開閉することによりグリルバーナを点消火させる温調制御について説明したが、オート調理中、火力調整弁の開度を調整することによるグリルバーナの火力変更と、元ガス弁を開閉することによるグリルバーナの点消火とを組み合わせた温調制御を行ってもよい。
（３）上記実施の形態では、アフターバーナを有するガスコンロが用いられているが、アフターバーナを有さないガスコンロであってもよい。
（４）上記実施の形態では、電源として電池が使用されているが、商用交流電源を所定電圧に降下して使用してもよい。
（５）上記実施の形態では、第１調理部としてグリル部が、第２調理部としてコンロ部が設けられているが、逆であってもよい。
【符号の説明】
【００５１】
１          コンロ部
２          グリル部
１２        コンロバーナ
１５        コンロ部共用イグナイタ
１６        点火電極（コンロ部）
２２        グリルバーナ
２４        アフターバーナ
３０        グリル部専用イグナイタ
３１        点火電極（グリル部）
７０        電池（電源）
６０２      グリル部専用イグナイタ駆動回路
【図１】
0006552377.tif 000002
【図２】
0006552377.tif 000003
【図３】
0006552377.tif 000004
【図４】
0006552377.tif 000005
【図５】
0006552377.tif 000006
【図６】
0006552377.tif 000007